(57)【要約】【課題】比較的少数の比較的単純な部品によって２つの異なるレンズグループを焦点面に対してかつレンズグループ同士間で移動可能な、改良型レンズ鏡筒および方法を提供する。【解決手段】多位置レンズ鏡筒１０は光軸を規定する第１のレンズキャリア１２を有する。第１のレンズキャリア１２は第１のカムフォロワ３２の組を有する。第２のレンズキャリア１３は光軸に整列する。第２のレンズキャリア１３は第２のカムフォロワ３４の組を有する。カムシリンダ１６は光軸に整列した通路を取り囲む管状の壁部を有する。カムシリンダ１６は１つ以上の第１のカムトラック６４の組と、１つ以上の第２のカムトラック６６の組とを有する。第１および第２のカムトラック６４，６６は軸に沿って互いに間隔が空けられる。各カムトラック６４，６６は、壁部から半径方向に離れるように延びる。各カムトラック６４，６６は光軸に沿ってかつ光軸の周りに延びる。バイアス部材はカムフォロワ３２，３４を各カムトラック６４，６６に向けてバイアスする。【選択図】図５
2004126587.tif 000002
【特許請求の範囲】
【請求項１】
　多位置レンズ鏡筒であって、
　光軸を規定し第１のカムフォロワの組を有する第１のレンズキャリアと、
　前記光軸に整列し第２のカムフォロワの組を有する第２のレンズキャリアと、
　前記光軸に整列した通路を取り囲む管状の壁部を有し、１つ以上の第１のカムトラックの組と、１つ以上の第２のカムトラックの組とを有するカムシリンダであって、前記第１のカムトラックと前記第２のカムトラックとは軸に沿って間隔が空けられ、前記各カムトラックは前記壁部から半径方向に離れるように延び、前記各カムトラックは前記光軸に沿ってかつ前記光軸の周りに延びるカムシリンダと、
　前記カムフォロワを前記各カムトラックへ向けてバイアスするバイアス部材とを含む多位置レンズ鏡筒。
【請求項２】
　多位置レンズ鏡筒であって、
　光軸を規定し第１のカムフォロワの組を有する第１のレンズキャリアと、
　前記光軸に整列し第２のカムフォロワの組を有する第２のレンズキャリアと、
　マウントとカムシリンダとを含む一部分からなるマウント−カムシリンダであって、前記マウントはカメラ本体に接合可能で、前記カムシリンダは通路を取り囲む管状の壁部を有し、前記カムシリンダは前記壁部から前記通路中へ延びる内部カムトラックの組を有し、前記各内部カムトラックは前記各第１のカムフォロワを前記壁部内側で前記光軸に沿ってかつ前記光軸の周りに延びる内経路上に案内し、前記カムシリンダは外部カムトラックの組を有し、前記外部カムトラックは前記内部カムトラックから軸方向および半径方向に間隔が空けられ、前記各外部カムトラックは前記各第２のカムフォロワを前記第１の経路とは異なる第２の経路上に案内するマウント−カムシリンダと、
　前記第１のカムフォロワと前記第２のカムフォロワとを前記各カムトラックに対して軸に沿って対向する方向にバイアスするバイアス部材とを含む多位置レンズ鏡筒。
【請求項３】
　別個に移動可能な第１のレンズグループと第２のレンズグループとの位置決め方法であって、
　前記第１のレンズグループと前記第２のレンズグループとを、それぞれ第１のレンズ経路上と第２のレンズ経路上の各デフォルト位置へ向かって継続的にバイアスするステップと、
　前記バイアスに対して、前記両レンズグループを前記第１のレンズ経路上および前記第２のレンズ経路上の選択された一対の相関位置に保持するステップと、
　前記両レンズグループを前記第１のレンズ経路上および前記第２のレンズ経路上で再配置するステップと、
　前記再配置時に前記保持を解放するステップとを含む方法。
【発明の詳細な説明】
【技術分野】
【０００１】
　本願は、写真技術および写真撮影装置に関し、より特定的には、共通してバイアスされた第１および第２のレンズキャリアを有する多位置レンズ鏡筒に関する。
【背景技術】
【０００２】
　市場で入手可能な大多数のズームレンズ鏡筒およびその他の多位置レンズ鏡筒は、複雑かつ高価なメカニズムを使用してレンズ群を高精度に位置決めする。このようなレンズ鏡筒は、安価なカメラ、特に使い捨てカメラまたはその他の簡易カメラには適さない。簡易カメラで使用されるメカニズムは、一般に製造が比較的容易で組み立てが簡単な少数の部品からなる。
【０００３】
　いくつかのズームレンズ鏡筒における複雑さの原因の一つは、特定の光学上の設計に従って、２つの異なるレンズグループ（１つの「レンズグループ」は１つ以上のレンズ要素からなる）を、焦点面に対してかつレンズグループ同士間で移動させなければならないことである。これに対する解決策は、種類は異なるが連結した複数のメカニズムを用いて、２つのレンズグループを移動させることである。特許文献１には、円筒形の管に形状の異なる一対のカム溝が設けられるものが開示されている。円筒形の管が各レンズグループに対して回転すると、２つの異なるレンズグループに接合されたカムフォロワが各溝に進んでレンズグループを移動させる。特許文献２にも同様のものが開示されているが、ここでは、カム溝を別個の構成要素上に分けて設けている。特許文献３は、カム溝に代えてリブを使用するレンズ鏡筒を開示している。特許文献４は、内壁に一方のカムフォロワ用のリブを設け、外壁に他方のカムフォロワ用の溝を設けた１つの構成要素を有するレンズ鏡筒を開示している。このレンズ鏡筒は上述の他発明と比べて部品数が少ないが、部品の形状は複雑である。
【０００４】
　特許文献５および特許文献６は、バネ付勢されるレンズ位置をもつレンズ鏡筒を開示している。両メカニズムは比較的単純で、特許文献６の場合はカムフォロワとカムも併用する。このようなレンズ鏡筒の欠点は、１つのレンズグループの移動に限定されるということである。
【０００５】
　上記のことから、比較的少数の比較的単純な部品によって２つの異なるレンズグループを焦点面に対してかつレンズグループ同士間で移動可能な、改良型レンズ鏡筒およびその方法を提供することが望ましいと考える。
【０００６】
【特許文献１】米国特許第５，６７３，０９９号明細書
【特許文献２】米国特許第６，３６９，９５６号明細書
【特許文献３】米国特許第５，２１６，５４９号明細書
【特許文献４】米国特許第５，２２５，９３９号明細書
【特許文献５】米国特許第３，６７２，２８０号明細書
【特許文献６】米国特許第５，２８９，３２０号明細書
【発明の開示】
【課題を解決するための手段】
【０００７】
　本発明は特許請求の範囲によって規定される。広義には、本発明は光軸を規定する第１のレンズキャリアを有する多位置レンズ鏡筒を提供する。第１のレンズキャリアは第１のカムフォロワの組を有する。第２のレンズキャリアは光軸に整列する。第２のレンズキャリアは第２のカムフォロワの組を有する。カムシリンダは光軸に整列した通路を取囲む管状の壁部を有する。カムシリンダは１つ以上の第１のカムトラックの組と、１つ以上の第２のカムトラックの組とを有する。第１および第２のカムトラックは、軸に沿って間隔が空けられる。各カムトラックは壁部から半径方向に離れるように延びる。各カムトラックは光軸に沿ってかつ光軸の周りに延びる。バイアス部材はカムフォロワを各カムトラックへ向けてバイアスする。
【発明の効果】
【０００８】
　本発明の効果は、比較的少数の比較的単純な部品によって２つの異なるレンズグループを焦点面に対してかつレンズグループ同士間で移動可能な、改良型レンズ鏡筒および方法を提供することである。
【発明を実施するための最良の形態】
【０００９】
　以下、添付図面とともに本発明の実施形態の説明を参照することにより、本発明の上記およびその他の特徴および目的、ならびにこれら特徴および目的を達成する方法が明白となり、本発明自体をより良好に理解できると考える。
【００１０】
　多位置レンズ鏡筒１０は、第１のレンズキャリア１２と、第２のレンズキャリア１３と、バイアス部材１４と、レンズキャリア１２，１３によって規定される光軸１８沿いに整列したマウント−カムシリンダ１６とを備える。レンズ鏡筒１０の各レンズキャリア１２，１３は、それぞれレンズグループ２０，２１を保持するように構成される。各レンズグループ２０，２１は、１つ以上のレンズ要素２２をもちうる。レンズ鏡筒の各構成要素は、前後のレンズグループ２０，２１を、レンズ系の焦点面に対して、かつレンズグループ間で移動させる。この光学上の関係が相対移動時に変化する態様、およびかかる変化を可能にするカムの形状（以下に記載）は、レンズ系の設計と相関する。当業者には適当なレンズ系が周知である。
【００１１】
　両レンズキャリア１２，１３はそれぞれキャップ２４，２６を有し、キャップ２４，２６にはそれぞれ保持具２８，３０が取り付けられ、キャップと保持具との間にレンズ要素群２２が保持される。レンズキャリア１２，１３は追加部品を備えてもよく、１つ以上の部品を一つの構造に成形してもよい。各キャップ２４，２６および保持具２８，３０は、摩擦ばめ、相互溝等の係合特徴部、ファスナ、接着剤、音波溶接等によって一体に保持される。レンズ要素２２もこれと同様に定位置に保持される。図示する実施形態では、キャップ２４，２６は各保持具２８，３０に対して軸沿いに外側に位置するが、一方または両方の保持具２８，３０を一番外側に配置してもよい。図示する実施形態では、前キャップ２４と前保持具２８とはネジ止めされ、後キャップ２６と後保持具３０とは摩擦ばめされる。１枚の前レンズ要素２２ａが前キャップ２４と前保持具２８との間に捕捉され、第１および第２の後レンズ要素２２ｂ，２２ｃが後キャップ２６と後保持具３０との間に捕捉される。
【００１２】
　前後の保持具２８，３０は、それぞれ１つ以上のカムフォロワ３２，３４の組（本明細書中、第１のカムフォロワ３２および第２のカムフォロワ３４とも称する）を有する。カムフォロワ３２，３４の形状および相対位置については、以下でカムシリンダ４８のところで説明する。カムフォロワ３２，３４は別個の部品でもよいが、好適にはポストまたはタブ等、保持具２８，３０の特徴部として成形される。カムフォロワ３２，３４はそれぞれ、各保持具２８，３０のカムフォロワ以外の部分から離れるように延びる。一方または両方の保持具には軸に沿って溝３７が設けられ、カムフォロワが各カムトラックへ突出できるようになっている。
【００１３】
　各レンズキャリア１２，１３は、バイアス部材１４用の座３６，３８を有する。座３６，３８は、図７に示すように各保持具２８，３０の一部として構成できる。一方または両方のバイアス部材用の座３６，３８は、レンズ要素２２のレンズ鏡筒１０の光路外側部分の一部等、レンズキャリア１２，１３の他の構成要素上に設けてもよい。この状態を図５に示す。バイアス部材１４は弾性をもち、追加支持構造付き、または追加支持構造なしで、１つ以上のバネから構成できる。バイアス部材１４は引張りバネまたは圧縮バネとして機能し、光軸１８に沿った方向に作用する。図ではコイルバネを例示する。図示するバネに追加または代用して、エラストマ要素等のこれ以外の種類のバネを使用してもよい。
【００１４】
　図５に示す実施形態では、バイアス部材１４は、マウント−カムシリンダ１６の内側に適合するようなサイズの１つのコイルバネ１４ａからなる。バイアス部材１４の対向端４０は、２つの保持具２８，３０の端縁にかかる。バネ１４ａの内径はレンズ鏡筒１０を通る光路直径よりも大きいので、バネ１４ａは光学系には干渉しない。
【００１５】
　図７に示す実施形態では、バイアス部材１４は小直径の３つのコイルバネ１４ｂからなり、バイアス部材の座３６，３８はそれぞれ、バネ１４ｂの各端４０を保持するような構造の３つの保持部４２，４４の組からなる。
【００１６】
　マウント−カムシリンダ１６は、マウント４６とカムシリンダ４８とを含む。使用時には、カムシリンダ４８はマウント４６に対して固定される。マウント４６はカメラ本体５０（図１に示す）に不動に接合するようになっている。図示する実施形態では、レンズ鏡筒はカメラ本体５０内部の内フレーム５１（図３に示す）に取り付けられる。レンズ鏡筒１０はカメラ本体５０の外部に取り付けてもよい。
【００１７】
　マウント−カムシリンダ１６は２部分を組立てたものでもよいが、１部分からなるプラスチック鋳造物として製造されれば、組立てはより簡単である。カムシリンダ４８は、通路５４を取囲む管状の壁部５２を有する。マウント４６は通路５４の続き部分を取囲む。通路５４はレンズ鏡筒１０の光軸１８を規定し、光軸１８と共心である。（本明細書中、「半径の」、「軸の」等の軸に関する用語は、すべて光軸に関するものである。例えば「半径」方向は光軸１８に垂直な面内にあり、「軸」方向は光軸１８に並行または同一に延びる。）
【００１８】
　マウント４６は、レンズ鏡筒１０をカメラ本体５０に対して定位置に保持するのに使用される取付け特徴部５６を有する。取付け特徴部５６の種類および構造は、相互ねじ山、差込マウント、摩擦ばめ、接着、部品の機械的締付け等の、これまで使用された多数の種類のうちのどれでもよい。図示する実施形態では、マウント４６は、２対の対向するスナップフック５８と、スナップフック５８の各対間に配置された２種類の異なる位置決めピン６０の一方とを有する。フック５８とピン６０とは、カメラ本体５０の一部を覆うような形状のカウリング６２から外側へ延びる。カウリング６２はフレアの危険性を抑えるため、光の遮断ができる。
【００１９】
　カムシリンダ４８は、マウント４６から軸に沿って外側かつ前方へ延びる。カムシリンダ４８の壁部５２は、１つ以上の第１のカムトラック６４の組と、１つ以上の第２のカムトラック６６の組とを有する。カムトラック６４，６６とカムフォロワ３２，３４とは、一対一で符合している。各カムトラック６４，６６は各カムフォロワ３２，３４に係合する。各組のカムフォロワ３２，３４およびカムトラック６４，６６の数は変更してもよい。
【００２０】
　第１のカムトラック６４と第２のカムトラック６６とは、軸に沿って間隔が空けられている。カムトラック６４，６６はカムシリンダ４８中の溝部分として構成してもよいが、好適には、カムシリンダの端部でカムシリンダ４８の壁部５２から半径方向または軸方向に突出するレール形状である。レール形状のカムトラック６４，６６は、カムシリンダ４８の強度を上げ、製造時の各部品の組立てを簡易化できる。以下の説明および図面中では、すべてのカムトラック６４，６６はレール形状である。
【００２１】
　バイアス部材１４は、カムフォロワ３２，３４を各カムトラック６４，６６に対してバイアスする。バイアス部材１４が圧縮バネとして作用する場合は、レンズキャリア１２，１３は軸に沿って互いから離れるようにバイアスされる。バイアス部材１４が張力バネとして作用する場合は、レンズキャリア１２，１３は軸に沿って互いに向かって進むようにバイアスされる。カムトラック６４，６６はバイアス部材１４のバイアスに対向するように配置される。図５の実施形態では、第２のカムトラック６６は第１のカムトラック６４に対して軸沿いに前方に位置する。図７の実施形態では、第１のカムトラック６４が第２のカムトラック６６に対して軸沿いに前方に位置する。カムフォロワ３２，３４は各カムトラック６４，６６に係合するように位置決めされてる。従ってバイアス部材１４は、カムフォロワ３２，３４が軸に沿って各カムトラック６４，６６に向かうようにバイアスする。バイアス部材１４が圧縮バネとして作用する場合は２つの異なる軸方向同士が相反し、バイアス部材１４が張力バネとして作用する場合は該軸方向同士が接近しあう。
【００２２】
　カムシリンダ４８の壁部５２は、通路５４に相接した内面６８と、内面６８に対向する外面７０とを有する。具体例では、一組のカムトラック６４または６６は、内面６８から半径方向に内側へ延びる。このカムトラック６４または６６は、壁部５２の内側かつ通路５４内部に配置される。第２の組のカムトラック６６または６４も同様に、内面６８から半径方向に内側へ延びうる。図５のレンズ鏡筒１０はこの場合である。これに代えて、第２の組のカムトラック６６または６４は、壁部５２の外面７０から外側へ延びるか、または壁部５２の端部で内面６８と外面７０との間でリムを形成してもよい。図７はこの場合を示す。組立ての便宜上、カムトラック６４または６６の一方の組は他方の組から半径方向に内側に配置されるのが好適である。例示する実施形態はこの場合を示す。
【００２３】
　レンズキャリア１２，１３は、バイアス部材１４によって各デフォルト位置に向かって継続的にバイアスされる。図５のレンズ鏡筒１０のデフォルト位置は、レンズグループ２０，２１間が最大に分離している点である。ズームワイド−テレフォトレンズ系では、これは広角位置である。図７のレンズ鏡筒１０のデフォルト位置はレンズグループ２０，２１間の分離が最小の点である。同じワイド−テレフォトレンズ系では、これはテレフォト（望遠）位置である。
【００２４】
　レンズキャリア１２，１３の相対位置は、一方のレンズキャリア１２または１３をマウント−カムシリンダ１６に対して、もしくは他方のレンズキャリア１３または１２に対して移動させることによって変更される。レンズキャリア１２，１３が移動すると、カムトラック６４，６６は各カムフォロワ３２，３４を、光軸１８を中心にカーブしかつ光軸１８沿いに延びる経路に沿って、らせん状またはレンズ系の光学設計によって決定されるより複雑な曲線状に案内する。
【００２５】
　２つのレンズキャリア１２，１３の一方はドライバ７２に接続され、ドライバ７２はレンズキャリア１２，１３の一方を回転させて、両キャリア１２，１３のカムフォロワ３２，３４を各カムトラック６４，６６沿いに移動させ、カムフォロワ３２，３４を各カムトラック６４，６６上の新たな位置の組合わせに配置する。例示するドライバ７２は、前レンズキャリア１２の保持具２８に接合されたレバーである。簡易化のため、ドライバ７２は前保持具２８の一部として成形してもよい。ドライバ７２はユーザによって直接操作できる。または、レンズ鏡筒１０をシュラウド７３で覆い、ドライバ７２はドライバ７２に係合または噛合したスライダまたは他の制御特徴部７４をユーザが操作して移動させてもよい。これ以外の種類のユーザ制御部を用いてもよい。例えば、ドライバ７２はレンズキャリア１２，１３の一方の周囲上に形成した歯と噛合したギアまたはギア列でもよい。ドライバ７２はモータでもよく、またはモータを備えてもよい。
【００２６】
　レンズ鏡筒１０は、レンズキャリア１２，１３をバイアス部材１４のバイアスに対して選択位置に保持するクラッチ７６を含む。クラッチ７６は、使用時の結束の危険を回避するため、バイアス部材１４から独立している。クラッチ７６は１つ以上の所定レンズキャリア位置に限定してもよいし、またはレンズキャリア１２，１３を任意の可能な位置に保持してもよい。後者の場合を図面に例示する。ドライバ７２の端部には、マウント−カムシリンダ１６に成形した歯８０に係合する可撓性のある爪７８を設ける。爪７８は爪７８を解放するためわずかに外側に曲がっており、ユーザがドライバ７２を操作してレンズキャリアを各位置間でズームできるようになっている。このクラッチ７６は、所定位置にのみ歯８０を設けることにより、該所定位置に限定できる。例えば、レンズ鏡筒１０はフル望遠とフル広角との２つの位置に限定してもよい。クラッチ７６はレンズキャリア１２，１３を一方の位置に保持し、他方の位置はデフォルトとしてもよいし、またはクラッチ７６は両位置で保持してもよい。
【００２７】
　（本発明の他の特徴）
　以下、本発明の他の特徴を番号を付して列挙する。
　１．多位置レンズ鏡筒であって、光軸を規定し第１のカムフォロワの組を有する第１のレンズキャリアと、該光軸に整列し第２のカムフォロワの組を有する第２のレンズキャリアと、該光軸に整列した通路を取囲む管状の壁部を有するカムシリンダとを含み、カムシリンダは１つ以上の第１のカムトラックの組と、１つ以上の第２のカムトラックの組とを有し、第１のカムトラックと第２のカムトラックとは軸に沿って間隔が空けられ、各カムトラックは壁部から半径方向に離れるように延び、各カムトラックは光軸に沿ってかつ光軸の周りに延び、多位置レンズ鏡筒はさらに、カムフォロワを各カムトラックに向けてバイアスするバイアス部材を含む。
　２．上記１に記載のレンズ鏡筒であって、カムフォロワのバイアスは軸方向に行われる。
　３．上記１に記載のレンズ鏡筒であって、第１のカムフォロワは第１の軸方向にバイアスされ、第２のカムフォロワは第１の軸方向と対向する第２の軸方向にバイアスされる。
　４．上記１に記載のレンズ鏡筒であって、カムシリンダに不動に接合され、通路の続き部分を有し、取り付け特徴部を有するマウントをさらに含む。
　５．上記１に記載のレンズ鏡筒であって、第１のカムトラックはシリンダ内部で半径方向に内側へ向かって延びる。
　６．上記５に記載のレンズ鏡筒であって、第２のカムトラックは第１のカムトラックより半径方向に外側に配置される。
　７．上記１に記載のレンズ鏡筒であって、各カムトラックは軸沿いに外向きであり、バイアス部材は各レンズキャリア同士を接近させるようにバイアスする。
　８．上記１に記載のレンズ鏡筒であって、各カムトラックは軸沿いに内向きであり、バイアス部材はレンズキャリア同士を相反させるようにバイアスする。
　９．上記１に記載のレンズ鏡筒であって、第１のカムトラックは第２のカムトラックより軸沿いに内側にある。
　１０．上記１に記載のレンズ鏡筒であって、バイアス部材はレンズキャリア間に配置された１つの圧縮バネである。
　１１．上記１に記載のレンズ鏡筒であって、バイアス部材は、互いに間隔を空けた複数のバネを有し、各バネは第１のレンズキャリアに取り付けられる第１端と、第２のレンズキャリアに取り付けられる第２端とを有する。
　１２．上記１に記載のレンズ鏡筒であって、レンズキャリアをカムシリンダに対して解放可能に固定するクラッチをさらに含む。
　１３．上記１２に記載のレンズ鏡筒であって、クラッチはバイアス部材から独立している。
　１４．上記１に記載のレンズ鏡筒であって、第１のカムトラックは壁部内面と外面との間にリムを規定する。
　１５．上記１に記載のレンズ鏡筒であって、カムシリンダとマウントとは一部分からなるプラスチック成形部品である。
　１６．多位置レンズ鏡筒であって、光軸を規定し第１のカムフォロワの組を有する第１のレンズキャリアと、該光軸に整列し第２のカムフォロワの組を有する第２のレンズキャリアと、マウントとカムシリンダとを含む一部分からなるマウント−カムシリンダとを含み、マウントはカメラ本体に接合でき、カムシリンダは通路を取り囲む管状の壁部を有し、カムシリンダは壁部から通路中に延びる内部カムトラックの組を有し、各内部カムトラックは第１のカムフォロワをそれぞれ壁部内側で光軸に沿ってかつ光軸の周りに延びる経路上に案内し、カムシリンダは外部カムトラックの組を有し、外部カムトラックは内部カムトラックから軸沿いかつ半径方向に離れており、各外部カムトラックは第２のカムフォロワをそれぞれ第１の経路とは異なる第２の経路上に案内し、多位置レンズ鏡筒はさらに、第１および第２のカムフォロワを各カムトラックに対して軸沿いに対向する方向にそれぞれバイアスするバイアス部材を含む。
　１７．上記１６に記載のレンズ鏡筒であって、第２の経路は第１の経路より外側にある。
　１８．上記１６に記載のレンズ鏡筒であって、外部カムトラックは壁部の内側に配置され、バイアス部材はレンズキャリア同士が接近するように移動するのを阻止する。
　１９．上記１６に記載のレンズ鏡筒であって、カム表面は互いに軸沿いに内側を向いており、バイアス部材はレンズキャリア同士を相反させるようにバイアスする。
　２０．個別に移動可能な第１および第２のレンズグループの位置決め方法であって、第１および第２のレンズグループを第１および第２のレンズ経路上の各デフォルト位置に向かって継続的にバイアスするステップと、レンズグループをバイアスに対して第１および第２の経路上の選択された相関位置対に保持するステップと、レンズグループを第１および第２の経路上に再配置するステップと、再配置中に保持を解放するステップとを含む。
【図面の簡単な説明】
【００２８】
【図１】多位置レンズ鏡筒の一実施形態を含むカメラの斜視図である。
【図２】図１のレンズ鏡筒の斜視図である。
【図３】図２のレンズ鏡筒を図４の３−３線にほぼ沿って切り取った断面図である。
【図４】図２のレンズ鏡筒の背面図である。
【図５】図２のレンズ鏡筒の展開斜視図である。
【図６】レンズ鏡筒の他の実施形態の斜視図である。
【図７】図６のレンズ鏡筒の展開斜視図である。
【符号の説明】
【００２９】
　１０　多位置レンズ鏡筒、１２　第１のレンズキャリア、１３　第２のレンズキャリア、１４　バイアス部材、１６　マウント−カムシリンダ、３２　第１のカムフォロワ、３４　第２のカムフォロワ、６４　第１のカムトラック、　６６　第２のカムトラック。
【図１】
2004126587.tif 000003
【図２】
2004126587.tif 000004
【図３】
2004126587.tif 000005
【図４】
2004126587.tif 000006
【図５】
2004126587.tif 000007
【図６】
2004126587.tif 000008
【図７】
2004126587.tif 000009